(57)【要約】【課題】  操作設定やコマンドの入力を行う際、携帯型電子機器の操作性を向上させることを目的とする。【解決手段】  被写体を撮影する撮影手段を備えた携帯型電子機器において、前記撮影手段により撮影した被写体の中からパターンレイアウトを認識する認識手段と、前記認識手段により認識したパターンレイアウトに基づき前記携帯型電子機器の設定を行う設定手段を備えたことを特徴とする。【選択図】  図１
2006140699.tif 000002
【特許請求の範囲】
【請求項１】
被写体を撮影する撮影手段を備えた携帯型電子機器において、前記撮影手段により撮影した被写体の中からパターンレイアウトを認識する認識手段と、前記認識手段により認識したパターンレイアウトに基づき前記携帯型電子機器の設定を行う設定手段を備えたことを特徴とする携帯型電子機器。
【請求項２】
前記設定手段により前記携帯型電子機器の撮影モード設定、初期設定、操作モード設定、プロバイダの設定の少なくとも一つが設定されることを特徴とする請求項１に記載の携帯型電子機器。
【請求項３】
上記設定手段により設定した設定データを記憶する記憶手段を備えたことを特徴とする請求項１に記載の携帯型電子機器。
【請求項４】
前記記憶手段はユーザにより設定された設定データも記憶することを特徴とする請求項３に記載の携帯型電子機器。
【請求項５】
上記記憶手段に記憶された前記設定データを印刷する印刷手段を備えたことを特徴とする請求項３または請求項４に記載の携帯型電子機器。
【請求項６】
前記認識手段による認識の開始を指示する指示手段を備え、被写体を撮影する前に前記指示手段が押下された場合は、撮影手段により被写体を撮影した直後に前記認識手段により被写体の中からパターンレイアウトの認識を開始し、被写体を撮影した後に前記指示手段が押下された場合は、既に撮影された被写体の中から前記認識手段によりパターンレイアウトの認識を開始することを特徴とする請求項１に記載の携帯型電子機器。
【発明の詳細な説明】
【技術分野】
【０００１】
本発明は操作の設定やコマンドの入力などを行う、撮影手段を備えた携帯型電子機器に関するものである。
【背景技術】
【０００２】
従来の携帯型電子機器において操作の設定やコマンドの入力を行う際は、携帯型電子機器に装備されたボタン等を操作し、例えば操作の設定においては携帯型電子機器に表示された操作メニュー項目の中から所望のメニュー項目を前記ボタン等で指示して選択したり、直接項目を入力する等の操作が必要であった。
【０００３】
また従来、機器の設定条件を外部から入力する方法として、特開２０００−１３６６９においては、機器の設定情報を記憶した外部メモリを機器にセットし、前記外部メモリから設定情報を読み出して機器の設定を行う方法が開示されている。
【特許文献１】特開２０００−１３６６９号公報
【発明の開示】
【発明が解決しようとする課題】
【０００４】
しかしながら、上記従来例では操作モードの設定や、コマンドの入力等は携帯型電子機器に装備されたボタン等を操作することによって行うため、操作が煩雑になり、設定や入力に非常に時間がかかるという欠点があった。
【０００５】
また、上記従来の技術に記載の特開２０００−１３６６９の方法においては、設定情報を外部メモリに予め登録する必要があり、また設定のために外部メモリを持ち歩く必要があった。
【０００６】
本発明は、操作設定やコマンドの入力を行う際、携帯型電子機器の操作性を向上させることを目的とする。
【課題を解決するための手段】
【０００７】
上記目的を達成するため、請求項１に記載の発明は、被写体を撮影する撮影手段を備えた携帯型電子機器において、前記撮影手段により撮影した被写体の中からパターンレイアウトを認識する認識手段と、前記認識手段により認識したパターンレイアウトに基づき前記携帯型電子機器の設定を行う設定手段を備えたことを特徴とする。
【発明の効果】
【０００８】
撮影した被写体からパターンレイアウトを認識することにより簡単に操作設定やコマンド入力を行うことができ、携帯型電子機器の操作性が向上する効果がある。
【発明を実施するための最良の形態】
【０００９】
（第１の実施の形態）
以下に、本発明の第１の実施の形態について、図を参照しながら説明する。
【００１０】
図１は本発明の第１の実施の形態の電子機器の構成を示すブロック図である。
【００１１】
同図において、
１は、画像を表示する画像表示手段である。
【００１２】
２は、１で表示された画像に対する指示を入力する指示手段である。
【００１３】
３は、入出力Ｉ／Ｆ部であり、指示手段２のデータ入力を受け、画像表示手段１に出力する。
【００１４】
４は、ＣＰＵであり、各種処理のための演算、論理判断等を行ない、バス９に接続された各構成要素を制御する。
【００１５】
５は、プログラムメモリであり、フローチャートにつき後述する処理手順を含むＣＰＵ４による制御のためのプログラムを格納するメモリである。プログラムメモリ５は、ＲＯＭであってもよいし、外部記憶装置などからプログラムがロードされるＲＡＭであってもよい。
【００１６】
６は、データメモリであり、各種処理で生じたデータを格納する。データメモリ６は、例えばＲＡＭとする。
【００１７】
７は、画像ＤＢであり、データメモリ上に、入力された複数枚の画像データが格納されている。
【００１８】
８は、パターンＤＢであり、データメモリ上に、入力された特定パターンのデータが格納されている。また、後述する設定カードのデータも格納されている。
【００１９】
９は、ＣＰＵ４の制御の対象とする構成要素を指示するアドレス信号、各構成要素を制御するためのコントロール信号、各構成機器相互間でやりとりされるデータの転送を行なうためのバスである。
【００２０】
１０は、被写体を撮影する撮影手段であり、撮影レンズ、撮影制御部等からなる。
【００２１】
１１は、撮影手段１０により撮影した被写体を認識する認識手段である。
【００２２】
１２は、指示手段２により指示された内容または認識手段１１により認識された内容に応じて本発明の携帯型電子機器の各種設定を行う設定手段である。
【００２３】
１３は、認識手段１１により認識されたデータを解析するデータ解析手段である。
【００２４】
１４は、設定手段１２で設定された内容等を本携帯型電子機器に接続したプリンタで印刷する印刷手段である。
【００２５】
図２は、本実施形態に係るシステム全体の流れを示す図である。
【００２６】
同図に示すように、システムが起動されると、ステップｓ２０１において、設定モードへ移行する場合はステップｓ２０２に進む。そうでない場合はステップｓ２１０通常の撮影モードに移行する。
【００２７】
ステップｓ２０２において、設定するための設定カードを作成する。
【００２８】
この設定カードを作成する処理の詳細については後述する。
【００２９】
作成したカードは図５である。
【００３０】
ステップｓ２０３において、ユーザがステップｓ２０２で作成したカードを撮影手段１０により撮影する。
【００３１】
ステップｓ２０４において、撮影されたデータから設定しようとするデータをデータ解析手段１３により解析する。このデータ解析処理の詳細については後述する。
【００３２】
ステップｓ２０５において、画像表示手段１に解析結果を表示する。
【００３３】
ステップｓ２０６において、表示された結果が意図する設定どおりか確認し、指示手段２により指示を与える。違った場合はステップｓ２０２の設定カードの作成から再度行う。
【００３４】
ステップｓ２０６において、表示された結果が意図する設定である場合は、指示手段２により指示を与え、ステップｓ２０７において、設定手段１２により本機器の設定内容を変更する。
【００３５】
ステップｓ２０８において、設定内容を保存しない場合はステップｓ２１０に進む。今後、この設定内容を将来呼び出す、または設定内容がかれた設定カードを印刷手段１４でプリントする場合には、ステップｓ２０９に進み、データメモリ６に設定内容を保存する。
【００３６】
ステップｓ２１０において、撮影手段１０により上記設定または変更された撮影モードで撮影を行い、システムを終了する。
【００３７】
図３は、上記ステップＳ２０２における本実施形態に係る設定カード作成手段の流れを示す図である。
【００３８】
同図に示すように、設定カード作成が起動されると、ステップｓ３０１において、未記入の設定カードがある場合は、ステップｓ３０５に進み、ない場合はステップｓ３０２に進み、データメモリ６のパターンＤＢ８に格納されている設定用カードを出力する。
【００３９】
ステップｓ３０２において、撮影モード設定用なのか、プロバイダ設定用なのか、ファイル検索用など、目的に応じた設定カードを指示手段２により選択する。
【００４０】
ステップｓ３０３において、プリンタを接続し、ステップｓ３０４において選択された設定カードを、印刷手段１４を経由して出力する。
【００４１】
ステップｓ３０５において、上記のように出力された設定カード、または予めユーザによって用意された設定カードに、設定したい項目を塗りつぶすまたは日付を記入するなどして、カード作成を終了する。
【００４２】
作成したカード例は図５または図６である。
【００４３】
図４は、上記ステップｓ２０４における本実施形態に係るデータ解析手段１３が実行するデータ解析の流れを示す図である。
【００４４】
同図に示すように、データ解析処理が起動されると、
ステップｓ４０１において、撮影データの位置がずれていたり、斜めになっていたり、歪んでいたりする場合、基準となるマークからズレを判断し修正する。
【００４５】
ステップｓ４０２において、マークされている位置・内容から、カードの種類および各設定項目の内容を解析する。
【００４６】
ステップｓ４０３において、ｓ４０２の解析処理結果、文字列のある設定カードである場合は、ステップｓ４０４に進み、そうでない場合はデータ解析処理を終了する。
【００４７】
ステップｓ４０４において、日付、数値などをデータ認識手段１１におけるＯＣＲにより解析する。
【００４８】
図５は、本実施形態に係る設定カードの例を示す図である。
【００４９】
５０１は、撮影データの位置がずれていたり、斜めになっていたり、歪んでいたりする場合、ズレを判断するための基準となるマークである。
【００５０】
５０３はこのカードが何かを本携帯型電子機器が認識するためのマークである。例えばバーコードでもよい。
【００５１】
５０４に書かれた項目を設定したい内容を５０５のように塗りつぶす。予め選択できる内容が一覧できるので、簡単に選択できる。
【００５２】
以下同様、各項目を設定する。
【００５３】
とくに設定を変更したくない場合は、５０６項目の５０７のようになにも塗りつぶさなければ、既存の設定のまま変更されない。
【００５４】
以下に、更に具体的な動作を、上記フローを用いながら流れを追って説明する。
【００５５】
図１のようなハードウェア構成において、ｓ２０１において設定モードに移行させ、Ｓ３０１からの設定カード作成を開始する。
【００５６】
設定カードがない場合は、ステップｓ３０２において指示手段２により例えば、撮影モード設定カードを選択し、プリンタ接続し、印刷手段１４を経由して設定カードを出力する。
【００５７】
ステップｓ３０５において、図５の５０４に書かれた項目を設定したい内容５０５のように塗りつぶす。予め選択できる内容が一覧できるので、簡単に選択できる。
【００５８】
以下同様、各項目を設定する。
【００５９】
とくに設定を変更したくない場合は、５０６項目の５０７のようになにも塗りつぶさない。
【００６０】
そのカードを撮影手段１０により撮影する。次にｓ２０４に移行し、撮影したカードに対してｓ４０１からのデータ解析処理をデータ解析手段１３により実行する。Ｓ４０１においてマーク５０１から、撮影カードの位置ずれ、射行、歪みを修正する。マーク５０３からこのカードが撮影設定モードであることを解析する。５０５のように塗られた位置から「解像度」を「高」に設定すると書かれていることを認識する。Ｓ２０５において、解析された結果を表示しｓ２０６で確認されたら、実際の撮影設定を「解像度」を「高」に設定する。
【００６１】
この後、同様の設定を呼び出す場合にはｓ２０９において保存する。Ｓ２１０において、先に設定で撮影することが可能になる。
【００６２】
以上、説明したように本実施例を施すことによって、複雑な撮影設定なども即時に設定でき、設定内容も一覧することが可能となり、より利便性を高めることが出来る。
【００６３】
（第２の実施の形態）
次に、本発明の第２の実施の形態について、図を参照しながら説明する。
【００６４】
第２の実施の形態では、撮影モードを設定するとなっているが、本実施の形態では、ファイルの検索を行うものである。
【００６５】
図６は、本実施形態に係る設定カードの例である。
【００６６】
６０３は、これがファイル検索カードであることを、本携帯電子機器で認識するためのマークである．
６０５では対象となるファイル形式を６０５のように塗りつぶす。
【００６７】
対象となる保存日付を、手書きで６０７に記入する。
【００６８】
対象となる保存ファイル名を６０８に記入する。
【００６９】
Ｓ４０３において、６０３のマークからデータ解析手段１３により、６０７、６０８に文字列が書かれていることが判断される。
【００７０】
前記文字列は、データ認識手段１１におけるＯＣＲにより解析する。
【００７１】
その解析結果に基づいて、ファイルが検索される。
【００７２】
ファイル名に関しては、さらに文字列を付け加えることにファイルの絞込みを加えることもできる。
【００７３】
以上、説明したように本実施例を施すことによって、キーボードなどのない本携帯電子機器においても、ファイル検索を効率的に行うことができ利便性を高めることができる。
【００７４】
（第３の実施の形態）
次に、本発明の第３の実施の形態ついて説明する。
【００７５】
第１の実施の形態では、ｓ２０１で設定モードに移行してからの撮影しかできないが、本実施の形態ではｓ２１０通常モードで設定カードを撮影した後、画像表示手段１で表示時に設定カードであることを指示手段２により行う事で、ｓ２０４以降データの解析を行う事ができる。
【００７６】
以上、説明したように本実施例を施すことによって、あらかじめ設定モードへ移行することなく設定を変更することが可能となる。またあらかじめ撮影した数枚の中から撮影モードを選択でき、より利便性を高めることができる。
【図面の簡単な説明】
【００７７】
【図１】本発明の携帯型電子機器の第１実施例の構成を示すブロック図。
【図２】本発明の携帯型電子機器のシステム全体フローを示す図。
【図３】本発明の携帯型電子機器の設定カード作成フローを示す図。
【図４】本発明の携帯型電子機器のデータ解析フローを示す図。
【図５】本発明の携帯型電子機器の設定カード例１を示す図。
【図６】本発明の携帯型電子機器の設定カード例２を示す図。
【符号の説明】
【００７８】
１  画像表示手段
２  指示手段
３  入出力Ｉ／Ｆ部
６  データメモリ
１０  撮影手段
１１  認識手段
１２  設定手段
１３  データ解析手段
【図１】
2006140699.tif 000003
【図２】
2006140699.tif 000004
【図３】
2006140699.tif 000005
【図４】
2006140699.tif 000006
【図５】
2006140699.tif 000007
【図６】
2006140699.tif 000008